【手続補正書】
【提出日】平成19年9月18日(2007.9.18)
【手続補正１】
【補正対象書類名】明細書
【補正対象項目名】全文
【補正方法】変更
【補正の内容】
【書類名】  明細書
【発明の名称】補助用グリップ
【特許請求の範囲】
【請求項１】
手で容易に把持できる略楕円柱状のグリップ本体と、該グリップ本体の前方に延設した略半環状のグリップ側取付部と、該グリップ側取付部に枢動可能に備えた一対の対峙する可動部と、前記一対の可動部の夫々の先端に取着した挟持部と、前記グリップ本体に枢着すると共に端部を絶えず離間する方向に弾性を付与したバネを介装した枢動可能な可動ハンドルとを備え、前記グリップ本体と前記可動ハンドルとを共に把持して手又は指の握力の変化により、前記可動ハンドルを枢動させて前記一対の可動部を機械的に接続して可動させることを特徴とする補助用グリップ。
【請求項２】
前記機械的な接続は、前記グリップ側取付部の頂部と前記一対の可動部の基部とを回動可能に固着した回動軸と、該回動軸に捲着させ一方方向に弾性を付与した引っ張りバネと、前記回動軸を貫挿させ前記グリップ側取付部に装備した第１プーリーと、前記回動軸を貫挿させ前記一対の可動部の基部辺に装備した第２プーリーと、前記第１プーリーの外周と前記可動ハンドルの可動端とを接続した伝達ワイヤーと、前記第２プーリーの外周と前記一対の挟持部とを夫々接続した伝達ワイヤーと、を備えたことを特徴とする請求項２に記載の補助用グリップ。
【請求項３】
手で容易に把持できる略楕円柱状のグリップ本体と、該グリップ本体の前方に延設した略半環状のグリップ側取付部と、該グリップ側取付部に枢動軸を介装してクロスさせて枢動可能に固着した対峙する一対の可動部と、前記一対の可動部の夫々の先端に取着した挟持部と、前記グリップ本体に枢着すると共に端部を絶えず離間する方向に弾性を付与したバネを介装した枢動可能な可動ハンドルとを備え、前記グリップ本体と前記可動ハンドルとを共に把持して手又は指の握力の変化により、前記可動ハンドルを枢動させて前記一対の可動部を機械的に接続して可動させることを特徴とする補助用グリップ。
【請求項４】
前記機械的な接続は、前記グリップ側取付部の頂部と前記一対のクロスさせた可動部の基部とを枢動可能に固着した固着部と、前記グリップ側取付部の頂部に内装した回動軸と、該回動軸に固定した回動板に一方方向に弾性を付与したバネと、前記回動軸を貫挿させ前記グリップ側取付部に装備した第１プーリーと第２プーリーと、前記第１プーリーの外周と前記可動ハンドルの可動端とを接続した伝達ワイヤーと、前記第２プーリーの外周と前記一対の挟持部の基端とを夫々接続した伝達ワイヤーと、前記一対の挟持部を絶えず離間させる方向に弾性を付与したバネと、を備えたことを特徴とする請求項３に記載の補助用グリップ。
【発明の詳細な説明】
【０００１】
【発明の属する技術分野】
本発明は、老人や、病気、怪我等で手の自由があまりきかない人の作業や女性、子供等力の弱い人の作業を補助するグリップに関するものである。
【０００２】
【従来の技術】
従来の食事器具において、スプーンやフォーク等は柄に太いグリップを取り付けていた、又、グリップが柄と同一方向に取り付けられていた。このため、パーキンソン病や、脳血管障害による手の麻痺や、リュウマチ等の病気や、腕に力のない老人等で、手の甲を上に向けることや、手首を捻る動作が難しい人には使用が難しかった。また、本体と一体になっていることが多いため、グリップと一緒に洗浄するため衛生上も良くなかった。また、本体毎交換しなければならなかった。箸に関しては、一端をバネ等で止めたものが多いが、構造上グリップが太くできなかった。コップ等に関しても柄の部分が稼働しないため、手首の捻りが必要であった。また、布団等の持ち運び、上げ下げ時やズボン等の上げ下げ時にも手が開きにくく、手首が捻りにくい等の問題を解決するものはなかった。また、タオル絞りに関しても手首の捻りが必要である。
【０００３】
【発明が解決しようとする課題】
病気等で関節や筋肉が動かしにくくなった場合、比較的大きな関節や筋肉は動かしやすい。このため、主に肘や、捻りを除いた腕首の曲げを使用することができるケースが多い。このため、日常の生活に必要な、パンツの上げ下げから、食事動作や、布団の上げ下げ、物を移動する作業には、肘の曲げ伸ばしと握る力の調整を主体とするのが妥当である。本発明は、これらの動作を中心に機能する機構である。また、一部の指が可動可能な場合も多く、一部の指の動きも組み合わせた動作を取り入れることにより、体が不自由でも、自分の手で楽しい生活ができるようになることを目的とする。
【０００４】
【課題を解決するための手段】
前記目的を達成するための補助用グリップは、グリップ本体に延設したグリップ側取付部と、グリップ側取付部に備えた一対の可動部と、一対の可動部の先端に取着した挟持部と、グリップ本体に枢着すると共にバネを介装した枢動可能な可動ハンドルとを備え、グリップ本体と可動ハンドルとを共に把持して手又は指の握力の変化により、可動ハンドルを枢動させて可動部を機械的に接続して可動させるものであり、更に、機械的な接続は、グリップ側取付部と可動部とを回動可能に固着した回動軸と、回動軸に捲着させ引っ張りバネと、回動軸を貫挿させグリップ側取付部に装備した第１プーリーと、回動軸を貫挿させ可動部に装備した第２プーリーと、第１プーリーの外周と可動ハンドルの可動端とを接続した伝達ワイヤーと、第２プーリーの外周と挟持部とを接続した伝達ワイヤーと、を備えたものであり、更には、グリップ側取付部に枢動軸を介装してクロスさせて枢動可能に固着した一対の可動部と、可動部の先端に取着した挟持部と、可動ハンドルを枢動させて可動部を機械的に接続して可動させるものであり、加えて、機械的な接続は、グリップ側取付部とクロスさせた可動部とを枢動可能に固着した固着部と、グリップ側取付部に内装した回動軸と、回動軸に固定した回動板に弾性を付与したバネと、回動軸を貫挿させグリップ側取付部に装備した第１プーリーと第２プーリーと、第１プーリーの外周と可動ハンドルの可動端とを接続した伝達ワイヤーと、第２プーリーの外周と一対の挟持部とを夫々接続した伝達ワイヤーと、挟持部を絶えず離間させる方向に弾性を付与したバネと、を備えたものである。
【０００５】
【発明の実施の形態】
以下、本発明に係る各種実施形態について、図面を用いて説明すると、本発明は、老人や、病気、怪我等で手の自由があまりきかない人の作業や女性、子供等力の弱い人の作業を補助するグリップに関するものであり、請求項１に記載の補助用グリップは、手で容易に把持できる略楕円柱状のグリップ本体１と、該グリップ本体１の前方に延設した略半環状のグリップ側取付部と、該グリップ側取付部に枢動可能に備えた一対の対峙する可動部６と、前記一対の可動部６の夫々の先端に取着した挟持部７と、前記グリップ本体１に枢着すると共に端部を絶えず離間する方向に弾性を付与したバネを介装した枢動可能な可動ハンドル４とを備え、前記グリップ本体１と前記可動ハンドル４とを共に把持して手又は指の握力の変化により、前記可動ハンドル４を枢動させて前記一対の可動部６を機械的に接続して可動させることを特徴とするものである。
【０００６】
更に、請求項２に記載の補助用グリップは、請求項１に記載の補助用グリップにおいて、前記機械的な接続は、前記グリップ側取付部の頂部と前記一対の可動部６の基部とを回動可能に固着した回動軸と、該回動軸に捲着させ一方方向に弾性を付与した引っ張りバネ１５と、前記回動軸を貫挿させ前記グリップ側取付部の頂部に装備した第１プーリー９と、前記回動軸を貫挿させ前記一対の可動部６の基部に装備した第２プーリー１０と、前記第１プーリー９の外周と前記可動ハンドル４の可動端とを接続した伝達ワイヤー５と、前記第２プーリー１０の外周と前記一対の挟持部７とを夫々接続した伝達ワイヤー５と、を備えたことを特徴とするものである。
【０００７】
更には、請求項３に記載の補助用グリップは、手で容易に把持できる略楕円柱状のグリップ本体１と、該グリップ本体１の前方に延設した略半環状のグリップ側取付部と、該グリップ側取付部に枢動軸を介装してクロスさせて枢動可能に固着した対峙する一対の可動部６と、前記一対の可動部６の夫々の先端に取着した挟持部７と、前記グリップ本体１に枢着すると共に端部を絶えず離間する方向に弾性を付与したバネを介装した枢動可能な可動ハンドル４とを備え、前記グリップ本体１と前記可動ハンドル４とを共に把持して手又は指の握力の変化により、前記可動ハンドル４を枢動させて前記一対の可動部６を機械的に接続して可動させることを特徴とするものである。
【０００８】
加えて、請求項４に記載の補助用グリップは、請求項３に記載の補助用グリップにおいて、前記機械的な接続は、前記グリップ側取付部の頂部と前記一対のクロスさせた可動部６の基部とを枢動可能に固着した固着部と、前記グリップ側取付部の頂部に内装した回動軸と、該回動軸に固定した回動板１４に一方方向に弾性を付与したバネ１３と、前記回動軸を貫挿させ前記グリップ側取付部に装備した第１プーリー９と第２プーリー１０と、前記第１プーリー９の外周と前記可動ハンドル４の可動端とを接続した伝達ワイヤー５と、前記第２プーリー１０の外周と前記一対の挟持部７の基端とを夫々接続した伝達ワイヤー５と、前記一対の挟持部５を絶えず離間させる方向に弾性を付与したバネと、を備えたことを特徴とするものである。
【０００９】
即ち、図１に示すものは本出願人が先に出願したもので、手で容易に把持できる略楕円柱状のグリップ本体１の周方向に穴又は凹溝３を軸心を貫通するように一つ又は上下に２つ形成したもので、スプーン、フォーク、ナイフ、箸等の食事器具２の基端辺を差し込むもので、食事器具２はグリップ本体１の頂部又は底部から挿通させたネジやバネにより押さえるものである。
【００１０】
そして、グリップ本体１の手の握りと食事器具２の柄の部分が直角に近い方向に保持して、グリップ本体１を可動ハンドル４と共に強く握ることにより食事器具２が上下運動するものであるが、物を挟持することはできなかった。
【００１１】
つまり、本発明はグリップ本体１と可動ハンドル４を握ることにより、物を挟持させるもので、実施例では、可動ハンドル４はグリップ本体１の後方の上方辺に枢動軸により枢動可能に枢着されており、グリップ本体１から可動ハンドル４の把持側の端部は絶えず離間するように弾性を付与しており、把持側をグリップ本体１と共に強く把持することにより、枢動軸を中心として枢動することにより、可動ハンドル４の作用側が枢動して機械的に接続された食事器具２は可動するものである。
【００１２】
次に、図２に図示するものは、方向切換え機構８を備えたもので、グリップ側取付部はグリップ本体１の前方に略半環状に延設したもので、可動部６はグリップ側取付部に枢動可能に備えた一対の対峙するもので先端に設けた挟持片７により物を挟持するものである。
【００１３】
つまり、可動部６に物を挟む機構と、可動部６の方向を変える機構の一例を示したもので、グリップ本体１に取り付けられた可動ハンドル４の握力を伝えるために、可動ハンドル４の作用端と方向切換え機構８へ備えた第１プーリー９の外周との間に伝達ワイヤー５を備え、方向切換え機構８の回動軸を介装した第２プーリー１０の外周と可動部６に備えられた挟持部７の基部との間に伝達ワイヤー５を備え、可動ハンドル４に握力を付与することにより、伝達ワイヤー５及び方向切換え機構８を介して可動片７伝えるものである。
【００１４】
そして、可動方向の切換は、引張りバネ１５により、張られている可動部方向切換えノブ１７を外すために可動部方向切換え止め１６を外し、可動部方向切換えノブ１７を手前に引き、可動部６を向かせたい方向に回動させ、差し込み、可動部方向切換え止め１６を戻し、引張りバネ１５を有効にさせることにより行うもので、尚、回り止めピン１８は可動部６が回り過ぎるのを防止するものである。
【００１５】
更に、図３に図示するものは、グリップ本体１に装着した可動部６の挟持部７に、可動時に物を挟む機構と、可動部６の方向を変える機構の一例を示したもので、可動ハンドル４の握力が伝達ワイヤー５を介して第１プーリー９に伝わり、第１プーリー９が回動することにより回動軸が回動し、回動軸に固定した第２プーリー１０が回動するもので、第２プーリー１０が回動することで第２プーリー１０の外周と可動部６の基端とを接続した伝達ワイヤー５を介して、可動部６へ伝わり挟持部７が挟持する方向に動くものである。
【００１６】
その後、さらに、グリップ本体１と可動ハンドル４とを把持して握力を加えることにより、回動軸に固定した回動板１４に備えた一方方向に弾性を付与したバネ１３の弾性に抗して回動し、回動板１４の下端に突設させた回動板ピン１１と第２プーリー１０の上面に突設した第２プーリーピン１２に当接し、回動板１４が矢印ａの方向に回動し、可動部６が矢印ｂの方向に回動するものである。
【００１７】
更には、図４に図示するものは、補助用グリップの使用例の一例を示すもので、グリップ本体１の後方の軸方向に沿って備えた可動ハンドル４と、これに連動し可動する可動部６を設け、可動部６の先端の挟持部７がグリップ本体１と可動ハンドル４とを把持することにより挟持する方向に動き、物を挟持するものである。
【００１８】
また、可動ハンドル４に遊びを持たせて、ある一定の握力を超えたところから可動を始めるようにしても良く、また、可動部６は縦、横、斜めに設けても良く、方向を切り替える機構を備えても良いものである。
【００１９】
そして、図５に図示するものは、補助用グリップの他の使用例を示すもので、グリップ本体１と可動ハンドル４とを把持することにより、可動部６と挟持部７が傾き、挟持させたコップが傾くものであり、本発明の補助用グリップは、左右どちらの手でも使用可能としても良く、可動部６に二つ以上の作業を行わせても良いものである。
【００２０】
【発明の効果】
パーキンソン病や脳血管障害による手の麻痺やリュウマチ等の病気や、腕に力のない老人や力の弱い子供、女性等が自分の手で生活や、食事、歯磨き、衣類の着替え、タオル絞り、文字を書く等がしやすくなる。
【００２１】
【図面の簡単な説明】
【図１】先に出願した食事器具を前もって取り付けておくタイプの補助グリップの使用例である。
【図２】本発明に係る可動部に物を挟んで可動部を回転させる機構の一実施例である。
【図３】本発明に係る可動部に物を挟んで可動部を回転させる機構の一実施例である。
【図４】本発明に係る補助用グリップの挟持するための実施例と方向切換え実施例である。
【図５】本発明に係る補助用グリップのコップを使用した実施例である。
【００２２】
【符号の説明】
１…グリップ本体
２…食事器具
３…穴又は凹溝
４…可動ハンドル
５…伝達ワイヤー
６…可動部
７…挟持部
８…方向切換え機構
９…第１プーリー
１０…第２プーリー
１１…回動板ピン
１２…第２プーリーピン
１３…バネ
１４…回動板
１５…引張りバネ
１６…可動部方向切換え止め
１７…可動部方向切換えノブ
１８…回り止めピン